(57)【特許請求の範囲】
【請求項１】
鉛直姿勢のコンクリート層と、前記コンクリート層の壁面と直交した方向から見て四角形に形成された発泡樹脂製断熱パネルの群とを備えていて、
前記コンクリート層を挟んだ表裏両側に、前記断熱パネルの群が、前記コンクリート層を挟んで相対向した状態で水平方向と上下方向とに整列して配置されており、
前記相対向した断熱パネルは、水平方向に断続的に配置された複数のセパレータによって連結されていて、
前記各セパレータは、前記コンクリート層の壁面と直交した方向を前後方向とした状態で、前記コンクリート層を横切って前後方向に長く延びる板状のジョイント部と、前記セパレータの前後両端に一体に設けられた平面視左右横長の板状のストッパー部とを有していて、前記ジョイント部の一部とストッパー部とによって平面視Ｔ形の嵌合部が形成されており、従って、前記各セパレータは平面視で略Ｈ形の形態を成している一方、
前記各断熱パネルには、前記セパレータの嵌合部が上から嵌まる平面視Ｔ形の上部スリットと、前記セパレータの嵌合部が下から嵌まる底面視Ｔ形の下部スリットとが、前記セパレータに対応して水平方向に断続的に複数形成されている構成であって、
前記各セパレータの群は、前記嵌合部が上下に重なった断熱パネルの両方に対して半分の高さずつ嵌入する中間セパレータと、上下に重なった断熱パネルのうち上端に位置した断熱パネルの上部の連結及び下端に位置した断熱パネルの下部の連結に使用されるエンドセパレータとに分かれており、
前記中間セパレータにおけるジョイント部のうち前記コンクリート層に埋設される部分には、前記嵌合部よりも上下巾を小さくする切欠きが上下対称状に形成されている一方、
前記エンドセパレータは、前記中間セパレータを上下２分割した形態を成している、
建物の断熱式基礎。
【請求項２】
鉛直姿勢のコンクリート層と、前記コンクリート層の壁面と直交した方向から見て四角形に形成された発泡樹脂製断熱パネルの群とを備えていて、
前記コンクリート層を挟んだ表裏両側に、前記断熱パネルの群が、前記コンクリート層を挟んで相対向した状態で水平方向と上下方向とに整列して配置されており、
前記相対向した断熱パネルは、水平方向に断続的に配置された複数のセパレータによって連結されていて、
前記各セパレータは、前記コンクリート層の壁面と直交した方向を前後方向とした状態で、前記コンクリート層を横切って前後方向に長く延びる板状のジョイント部と、前記セパレータの前後両端に一体に設けられた平面視左右横長の板状のストッパー部とを有していて、前記ジョイント部の一部とストッパー部とによって平面視Ｔ形の嵌合部が形成されており、従って、前記各セパレータは平面視で略Ｈ形の形態を成している一方、
前記各断熱パネルには、前記セパレータの嵌合部が上から嵌まる平面視Ｔ形の上部スリットと、前記セパレータの嵌合部が下から嵌まる底面視Ｔ形の下部スリットとが、前記セパレータに対応して水平方向に断続的に複数形成されている、
という構成の断熱式基礎に使用する前記セパレータであって、
前記嵌合部が上下に重なった断熱パネルの両方に対して半分の高さずつ嵌入する中間セパレータと、上下に重なった断熱パネルのうち上端に位置した断熱パネルの上部の連結及び下端に位置した断熱パネルの下部の連結に使用されるエンドセパレータとの組み合わせであり、
前記中間セパレータにおけるジョイント部のうち前記コンクリート層に埋設される部分には、前記嵌合部よりも上下巾を小さくする切欠きが上下対称状に形成されている一方、
前記エンドセパレータは、前記中間セパレータを上下２分割した形態を成している、
建物の断熱式基礎に使用するセパレータ。
【請求項３】
請求項２に記載した中間セパレータ及びエンドセパレータを使用して請求項１に記載した建物の断熱式基礎を施工する方法であって、
前記エンドセパレータを使用して、最下段の断熱パネルの対の下部同士を連結する工程と、
前記中間セパレータを使用して、上下に隣り合った断熱パネル同士を連結しつつ相対向した断熱パネルの対同士の連結とを行う工程と、
前記エンドセパレータを使用して、最上段に位置した断熱パネルの対の上部同士を連結する工程とを備えている、
建物の断熱式基礎の施工方法。
【発明の詳細な説明】
【技術分野】
【０００１】
本願発明は、住宅等の建物において、コンクリート層を表裏から断熱パネルで挟んで成る断熱式基礎、及び、これに使用するセパレータ、並びに、断熱式基礎の施工方法に関するものである。
【背景技術】
【０００２】
木造住宅やプレハブ式住宅では、コンクリート製の縦基礎を地面に施工してから、縦基礎の上に建物の上部分を構築している。縦基礎の施工には型枠が不可欠であり、この型枠としては、一般に、合板製又は鋼板製のものが多用されており、内外の型枠を、セパレータで間隔を保持しつつ、パイプ材等で起立姿勢に保持し、内外の型枠で形成された空間に鉄筋や土台固定用アンカーボルトを配置し、次いでコンクリートを打設し、コンクリートが固まってから型枠を取り外している。
【０００３】
このように、一般的なコンクリート基礎工事では、型枠の組み立て作業と解体の作業とがセットになっているため、施工に多大の手間がかかるという問題があった。そこで、建物において断熱のために発泡樹脂製の断熱パネルが使用されている点に着目して、断熱パネルを残存型枠として利用することにより、施工の手間を大幅に省くことが提案されている。
【０００４】
断熱パネルを型枠に兼用するに際しても、並列配置された断熱パネルの対を所定間隔で起立姿勢に保持するセパレータが必要であり、このセパレータに関して種々の提案が成されている。その例として特許文献１には、断熱パネルは上下に積み重ねられることが多く、上下の断熱パネルも前後方向（厚さ方向）にずれないように保持する必要がある点に着目して、対向した断熱パネルの連結（間隔の保持）と、上下に重ねた断熱パネルの連結とを行えるようにしたセパレータが開示されている。
【０００５】
すなわち、特許文献１のセパレータは棒材から成るもので、断熱パネルの対向方向を前後方向とした状態で、コンクリート層を横切る前後長手部と、前後長手の両端に一体に設けた左右長手部と、左右長手部の左右両端に一体に設けた上下長手部を有する形態として、左右長手部を上下に重なった断熱パネルの重合部に配置して、上下長手部が下方の断熱パネルと上方の断熱パネルとに嵌合するように構成している。従って、特許文献１では、断熱パネルの上面と下面とには、セパレータの上下長手部が嵌まる穴と、セパレータの左右長手部が嵌まる溝とが形成されており、両者は連通している。
【０００６】
また、特許文献１のセパレータは左右に隣り合った断熱パネルに跨がって配置できるようになっており、左右の上下長手部が左右に隣り合った断熱パネルに嵌まることにより、１つのセパレータで左右の断熱パネルの連結も行っている。
【先行技術文献】
【特許文献】
【０００７】
【特許文献１】特開平０９−３１０４９３号公報
【発明の概要】
【発明が解決しようとする課題】
【０００８】
さて、発泡スチロールのような発泡樹脂製の断熱パネルを残存型枠に利用する場合、セパレータに対して幾つかの要請が存在する。例えば、発泡樹脂は合板や鋼板に比べると強度が著しく劣るため、コンクリートの打設時の圧力で断熱パネルが破損しないように、セパレータもその形状を工夫する必要がある。また、断熱パネルの外面にはモルタルを塗ることが多いので、セパレータはモルタルの邪魔にならないように、セパレータが断熱パネルの外側に露出しないことが要請される。
【０００９】
そこで特許文献１を見ると、特許文献１のセパレータは、断熱パネルの外側には露出しないため、モルタルの塗工の障害にはならないが、全体が丸棒材製であるため、断熱パネルとの接触面積は僅かでしかなく、このため、断熱パネルがコンクリート打設時の圧力に耐えきれずに破損してしまうことが懸念される。
【００１０】
本願発明はこのような現状を改善すべく成されたものであり、発泡樹脂製の断熱パネルを残存型枠（捨て型枠）として使用する断熱式基礎に関連して、強度に優れて作業も容易な技術を提供せんとするものである。
【課題を解決するための手段】
【００１１】
本願は、断熱式基礎とこれに使用するセパレータ、及び施工方法とを含んでいる。断熱式基礎は請求項１で特定しており、この断熱式基礎は、まず、
「鉛直姿勢のコンクリート層と、前記コンクリート層の壁面と直交した方向から見て四角形に形成された発泡樹脂製断熱パネルの群とを備えていて、
前記コンクリート層を挟んだ表裏両側に、前記断熱パネルの群が、前記コンクリート層を挟んで相対向した状態で水平方向と上下方向とに整列して配置されており、
前記相対向した断熱パネルは、水平方向に断続的に配置された複数のセパレータによって連結されていて、
前記各セパレータは、前記コンクリート層の壁面と直交した方向を前後方向とした状態で、前記コンクリート層を横切って前後方向に長く延びる板状のジョイント部と、前記セパレータの前後両端に一体に設けられた平面視左右横長の板状のストッパー部とを有していて、前記ジョイント部の一部とストッパー部とによって平面視Ｔ形の嵌合部が形成されており、従って、前記各セパレータは平面視で略Ｈ形の形態を成している一方、
前記各断熱パネルには、前記セパレータの嵌合部が上から嵌まる平面視Ｔ形の上部スリットと、前記セパレータの嵌合部が下から嵌まる底面視Ｔ形の下部スリットとが、前記セパレータに対応して水平方向に断続的に複数形成されている」
という基本構成になっている。
【００１２】
そして、上記基本構成の下、
「前記各セパレータの群は、前記嵌合部が上下に重なった断熱パネルの両方に対して半分の高さずつ嵌入する中間セパレータと、上下に重なった断熱パネルのうち上端に位置した断熱パネルの上部の連結及び下端に位置した断熱パネルの下部の連結に使用されるエンドセパレータとに分かれており、
前記中間セパレータにおけるジョイント部のうち前記コンクリート層に埋設される部分には、前記嵌合部よりも上下巾を小さくする切欠きが上下対称状に形成されている一方、
前記エンドセパレータは、前記中間セパレータを上下２分割した形態を成している」
という特徴を有している。
【００１３】
なお、本願発明において、セパレータの嵌合部と断熱パネルのスリットとの嵌合関係については、  セパレータを動かして断熱パネルのスリットに嵌め込む場合と、断熱パネルを動かしてそのスリットをセパレータの嵌合部に嵌め込む場合との両方を含んでいる。
【００１４】
セパレータの発明は、請求項２で特定されている。すなわち、このセパレータは、請求項１の基本構成に記載したものであり、
「前記嵌合部が上下に重なった断熱パネルの両方に対して半分の高さずつ嵌入する中間セパレータと、上下に重なった断熱パネルのうち上端に位置した断熱パネルの上部の連結及び下端に位置した断熱パネルの下部の連結に使用されるエンドセパレータとの組み合わせであり、
前記中間セパレータにおけるジョイント部のうち前記コンクリート層に埋設される部分には、前記嵌合部よりも上下巾を小さくする切欠きが上下対称状に形成されている一方、
前記エンドセパレータは、前記中間セパレータを上下２分割した形態を成している」
という構成になっている。
【００１５】
なお、セパレータのジョイント部にコンクリートが通過する穴を設けたり、横筋を保持する凹部を設けたりすることも可能である。
【００１６】
施工方法の発明は、請求項３で特定している。すなわち、この施工方法は、請求項２に記載した中間セパレータ及びエンドセパレータを使用して請求項１に記載した建物の断熱式基礎を施工する方法であり、
「前記エンドセパレータを使用して、最下段の断熱パネルの対の下部同士を連結する工程と、
前記中間セパレータを使用して、上下に隣り合った断熱パネル同士を連結しつつ相対向した断熱パネルの対同士の連結とを行う工程と、
前記エンドセパレータを使用して、最上段に位置した断熱パネルの対の上部同士を連結する工程とを備えている」
という構成になっている。
【発明の効果】
【００１７】
本願各発明のセパレータは、相対向した断熱パネルに嵌まる（係合する）平面視Ｔ型の嵌合部が一体に繋がって平面視Ｈ形の形態を成しているが、ジョイント部とストッパー部とはそれぞれ板状であるため、断熱パネルとの接触面積を大きく取ることができる。このため、コンクリート打設時に断熱パネルの狭い部位に外力が集中的に作用することを防止して、断熱パネルの破損を防止できる。
【００１８】
また、ジョイント部は、平面視では細い状態になっているため、コンクリートの打設時にジョイント部は生コンクリートの内部に完全に埋まった状態になり、ジョイント部の箇所に空洞が発生することはない。従って、施工後のコンクリート層に巣が発生することを防止して、高い施工品質を確保できる。
【００１９】
そして、中間セパレータの嵌合部が上下の断熱パネルに跨がって嵌合しているため、１つの（水平方向に並んだ一群の）中間セパレータによって、上下に隣り合った断熱パネルの対の間隔の保持を行うことができる。このため、工事の作業能率を向上できる。
【００２０】
また、ジョイント部には切り欠きが形成されており、ジョイント部の上下巾をできるだけ小さくできるため、コンクリート層の強度低下を防止できる。ジョイント部に透かし穴を空けておくと、更に有効である。また、コンクリート層には縦筋と横筋とからなる鉄筋が配置されているのが普通であるが、本願発明では、横筋が嵌合部の高さに位置しても、切欠きにより、横筋がジョイント部に当たることを防止できる。このため、横筋の配置の自由性も向上できる。
【図面の簡単な説明】
【００２１】
【図１】実施形態を示す図で、（Ａ）は施工後の概略断面図、（Ｂ）は分離斜視図である。
【図２】施工途中の斜視図である。
【図３】施工手順を示す図である。
【図４】施工手順を示す図である。
【図５】施工手順を示す図である。
【図６】最上部の例を示す断面図である。
【図７】（Ａ）（Ｂ）は他の実施形態を示す図、（Ｃ）は変更例である。
【発明を実施するための形態】
【００２２】
(1).概要
次に、本願発明の実施形態を図面に基づいて説明する。図１，２に示すように、断熱式基礎は、相対向して配置された断熱パネル１の対の群を有している。断熱パネル１の対の間には空間２が空いており、空間２にコンクリートを打設してコンクリート層３が形成され、これにより、コンクリート層３を断熱パネル１で表裏から挟んだ複層構造の断熱式基礎が形成されている。図３に示すように、コンクリート層３の内部には、縦筋４の群と横筋５の群とが埋設されている。
【００２３】
断熱パネル１は、上下方向にも重なっている。従って、表裏の断熱層は、複数段の断熱パネル１で構成されている。なお、１枚の断熱パネル１の大きさは一定しておらず、用途によって異なっていることが多い。左右巾は２ｍ又は１．８ｍ程度が多いが、高さは２５０ｍｍ、３００ｍｍ、５００ｍｍ、６００ｍｍ、１０００ｍｍなどと、まちまちである。現場に対応して寸法を設定する場合も多い。
【００２４】
本願発明では、方向を特定するため前後方向・左右方向の文言を使用するが、図１，２に明示するように、前後方向は断熱パネル１の対の対向方向（コンクリート層３の表裏面と直交した方向）として定義し、左右方向は、前後方向と直交した水平方向として定義している。
【００２５】
上記のとおり、本願発明では複数段の断熱パネル１が使用されているが、最上段のものを除いた断熱パネル１の上面には、図１，２に示すように、長手中心線の個所に位置したセンターリブ６と、これと交叉した多数の横リブ７とが形成されている。両リブ６，７の交叉部には上向きの突起を形成していることが多いが、図では省略している。
【００２６】
最下段の断熱パネルを除いた断熱パネル１の下面には、図２に部分的に示すように、センター溝８と多数の横溝９とが形成されており、上下に重なった断熱パネル１のリブ６，７と溝８，９とが嵌まり合って、上下の断熱パネル１は前後方向及び左右方向にずれ不能に位置決めされる。最上段の断熱パネル１の上面、及び、最下段の断熱パネル１の下面はフラットになっている。
【００２７】
各断熱パネル１の一側面には、その全高に亙って蟻溝１０が形成されて、他方の側面には、その全高に亙って蟻ほぞ１１が形成されている。このため、左右に隣り合った断熱パネル１は、蟻溝１０と蟻ほぞ１１とが嵌合することにより、同一面を成した状態で前後方向にずれないように位置決めされている。なお、各断熱パネル１の表裏両面には、セメントとの接合性を高めるために、浅い細巾の縦長スリットを左右方向に多数形成する場合もある。
【００２８】
(2).セパレータ
図５，６に示すように、相対向した断熱パネル１は、左右方向に適宜間隔で配置した多数の中間セパレータ１２とエンドセパレータａとによって前後間隔が一定に保持されている。セパレータ１２，１２ａは樹脂製であり（金属板製でもよい）、図１，２に明示するように、コンクリート層３（或いは空間２）を横切って前後方向に長く延びる板状のジョイント部１３と、ジョイント部１３の前後両端に一体に設けた平面視左右横長で板状のストッパー１４とにより、平面視Ｈ形になっている。そして、ジョイント部１３の前後端部とストッパー１４とで構成される平面視Ｔ形の部分が、断熱パネル１に嵌まる嵌合部１５になっている。
【００２９】
他方、断熱パネル１には、セパレータ１２，１２ａの嵌合部１５が下方から嵌まる下向き開口の下部スリット１６と、嵌合部１５が上方から嵌まる上向き開口の上部スリット１７とが左右方向に断続して多数形成されている。当然ながら、上下のスリット１６，１７は、ジョイント部１３の端部が嵌まる部分１８とストッパー１４が嵌まる部分１９とを有して平面視（或いは底面視）でＴ形になっており、コンクリート層３（空間２）に向けても開口している。
【００３０】
ストッパー１４は、断熱パネル１のうち、厚さの中間点を挟んでコンクリート層３（空間２）と反対の外側に寄せて配置されている。このため、スリット１６，１７のうちストッパー１４が嵌まる部分１９も、断熱パネル１の外側に寄せて形成されている。これは、ストッパー１４よりも内側の部分の厚さをできるだけ大きくして、コンクリート打設時の圧力に対する強度を高めるための措置である。
【００３１】
図１，２に示す中間セパレータ１２は、上下に重なった断熱パネル１に跨がって嵌合するダブル連結タイプになっている。最上段の断熱パネル１の上端部の連結、及び、最下段の断熱パネル１の下端部の連結には、図１に一点鎖線で示すように、ダブル連結タイプのものを上下真半分に切断したシングル連結タイプのエンドセパレータ１２ａが使用される。
【００３２】
更に、セパレータ１２，１２ａにおいて、嵌合部１５は全体が同じ高さになっているが、ジョイント部１３のうちコンクリート層３に埋設される部分（空間２に露出する部分）は、台形状の切欠き２０を形成することによって上下巾を小さくしている。中間セパレータ１２、切欠き２０は上下対称に形成されて、エンドセパレータ１２ａでは、切欠き２０は片側だけに形成されている。
【００３３】
切欠き２０を長方形に形成して、ジョイント部１３のうち露出部の全体を等しい上下巾に設定することも可能である。或いは、切欠き２０は側面視で湾曲した形状に形成することも可能である。
【００３４】
エンドセパレータ１２ａは、嵌合部１５の上下高さがスリット１６，１７の深さとは同じになっているが、中間セパレータ１２は、嵌合部１５の高さがスリット１６，１７の深さの２倍の寸法になっている。このため、上下に隣り合った断熱パネル１の対が、１つの（或いは一列の）中間セパレータ１２によって前後間隔が保持されている。
【００３５】
なお、ストッパー１４の４つのコーナー部を面取り状にカットすると、嵌合部１５とスリット１６，１７との嵌まり合いが容易になる。図示していないが、ジョイント部１３及びストッパー１４に、強度を損なわない範囲で透かし穴（逃がし穴）を設けることも可能である。更に、前後のストッパー１４を左右複数枚のジョイント部１３で連結することも可能であり、このような形態も請求項に記載した「平面視Ｈ形」に含まれる。なお、複数枚のジョイント部１３を設ける場合は、隣り合ったジョイント部１３の間隔は、生コンクリートが容易に流れ込む程度の寸法に設定しておく必要がある。
【００３６】
(3).施工手順
次に、図３〜６に基づいて、施工手順を説明する。まず、図３（Ａ）に示すように、基準面Ｇに、最下段の断熱パネル１が嵌まる２列の地レール（下枠）２１をピン等で固定する。基準面Ｇは、ベタ基礎の場合はコンクリート面であり、布基礎の場合は地面になる。地レール２１は、上向きに開口したコ字形の長尺部材であり、樹脂製又は金属製である。
【００３７】
次いで、図３（Ｂ）に示すように、一方の地レール２１に断熱パネル１を嵌め込んでから、縦筋４を立設していく。現場の状況によっては、先に縦筋４を配置して、それから一方の地レール２１に断熱パネル１を嵌め込むことも可能である。最下段の断熱パネル１の対を下部においても連結したい場合は、一点鎖線に示すように、片方の断熱パネル１の下部に、エンドセパレータ１２ａを嵌め込み装着しておく。
【００３８】
なお、最下段の断熱パネル１の下部が地レール２１に嵌まっている場合、エンドセパレータ１２ａは地レール２１の上に載るので、エンドセパレータ１２ａを使用する場合は、最下段の断熱パネル１における下部のスリット１６は、地レール２１の高さ寸法分だけ深さを深くしておく必要がある。最下段の断熱パネル１の下部を連結しない場合は、最下段の断熱パネル１の下部に下スリット１６を形成する必要はない。
【００３９】
片方の断熱パネル１を配置した後に（或いはその前に）、最下段の断熱パネル１の箇所に横筋５を配置して、これを線材等で縦筋４に固定する。次いで、図３（Ｃ）に示すように、他方の側の最下段の断熱パネル１を、他方の地レール２１に嵌め込む。下部にエンドセパレータ１２ａを配置している場合は、他方の断熱パネル１は、  エンドセパレータ１２ａに対しても嵌め込まれる。次いで、図３（Ｄ）に示すように、最下段の断熱パネル１の対に、中間セパレータ１２の群を嵌め込んでいく。
【００４０】
この場合、中間セパレータ１２のジョイント部１３に切欠き２０が形成されているため、横筋５を断熱パネル１の上部寄りに配置しても、ジョイント部１３が横筋５に当たることを防止できる。従って、横筋５を、上下間隔がなるべく均一になるように配置しつつ、中間セパレータ１２で断熱パネル１を連結できる。従って、横筋５の配置位置の選択の自由性を向上できる。
【００４１】
次いで、図４（Ａ）に示すように、一方の側の２段目の断熱パネル１を中間セパレータ１２に嵌め込みセットし、次いで、２段目の断熱パネル１の箇所の横筋５を縦筋４に固定し、それから、図４（Ｂ）に示すように、他方の側の２段目の断熱パネル１を中間セパレータ１２に嵌め込みセットする。
【００４２】
このようにして、順次、断熱パネル１を積み上げていくが、空間２の高さ（深さ）が高くなり過ぎると、コンクリート打設時の圧力が過剰になって断熱パネル１が破断したり膨れ変形したりするので、構造体の高さがある程度以上に高い場合は、図５に矢印で示すように、何段階かに分けてコンクリートを打設する。
【００４３】
コンクリートの打設工程では、バイブレータを生コンクリート内に挿入して、コンクリートを空間の隅々まで行き亘らせるが、バイブレータがセパレータ１２，１２ａのジョイント部１３に当たることがあっても、セパレータ１２，１２ａは断熱パネル１にしっかりと係合しているので、セパレータ１２，１２ａがずれ動くことはなくて、前後の断熱パネル１の間隔をしっかりと保持できる。
【００４４】
また、ジョイント部１３は、その広幅面を鉛直姿勢にした板状であるため、コンクリートにまんべんなく包み込まれる。従って、ジョイント部１３の下面箇所に巣が発生することは皆無であり、コンクリート層３を高い強度に施工できる。更に、ジョイント部１３に切欠き２０を形成しているため、コンクリート層３の分断量をできるだけ少なくして、コンクリート層３を高い強度に維持できる。また、セパレータ１２，１２ａに使用する材料を抑制してコスト低減にも貢献する。
【００４５】
図６に示すように、最上段の断熱パネル１の上端部は、エンドセパレータ１２ａで連結される。最上段の断熱パネル１の対をエンドセパレータ１２によって連結してから、最後のコンクリートの打設を行い、これにより、構造体の施工が終了する。最上段に配置されたエンドセパレータ１２は、（Ａ）に示すように切欠き２０を下に位置させてもよいし、（Ｂ）に示すように、切欠き２０を上にしてもよい。コンクリート層３の強度の点からは、（Ｂ）のように、切欠き２０を上向きにして配置するのが好ましいと云える。
【００４６】
コンクリート層３の上面にスペーサを介して木製の土台（角材）が載置されるが、この場合は、土台を固定するためのアンカーボルトがコンクリート層３に埋設されている。従って、施工の工程中に、アンカーボルトの配置工程が追加される。セパレータ１２，１２ａを使用してアンカーボルトを起立姿勢に保持することも可能である。
【００４７】
(4).他の実施形態及び参考例
図７では、中間セパレータ１２を横筋５の位置決めに使用した例を提示している。このうち（Ａ）に示す第２実施形態では、既に述べた第１実施形態の中間セパレータ１２を基本として、ジョイント部１３に横筋５が嵌まる凹溝２２を上下対称に形成している。横筋５は中間セパレータ１２によって姿勢が保持されているため、縦筋４への連結に際して一々横筋を手で持って高さを保持しておく必要はない。このため、横筋５の連結作業の手間を軽減できる。また、中間セパレータ１２は断熱パネル１によって位置と姿勢がしっかりと保持されているため、縦筋４の位置と姿勢も安定性に優れており、結果として、縦筋４の姿勢安定性にも優れている。
【００４８】
（Ｂ）に示す第３実施形態では、一対の断熱パネル１の間に２列の縦筋４が配置されている。そこで、中間セパレータ１２のジョイント部１３には、２列の横筋５を保持するための２箇所の凹溝２２が上下対称に形成されている。
【００４９】
図７（Ｃ）に示す参考例では、ジョイント部１３には、切欠きに代えて、角形の大きな透かし穴２３を形成している。そして、ジョイント部１３の上部と下部とに、横筋５を安定的に支持する凹溝２２を形成している。下部の凹溝２２は、下向きにフック部２４を形成している。従前の例の中間セパレータ１２は上下対称形状であるため上下・前後の方向性は無かったが、（Ｃ）の例では上下と前後の方向性がある。
【００５０】
以上、本願発明の例を図示して説明したが、本願発明は、図示したもの以外にも様々に具体化できる。
【産業上の利用可能性】
【００５１】
本願発明は、断熱式基礎に具体化できる。従って、産業上利用できる。
【符号の説明】
【００５２】
１  断熱パネル
２  コンクリート打設用の空間
３  コンクリート層
４  縦筋
５  横筋
１２  中間セパレータ
１２ａ  エンドセパレータ
１３  ジョイント部
１４  ストッパー
１５  嵌合部
１６，１７  スリット
２０  切欠き
２１  地レール
【図１】
0006545639.tif 000002
【図２】
0006545639.tif 000003
【図３】
0006545639.tif 000004
【図４】
0006545639.tif 000005
【図５】
0006545639.tif 000006
【図６】
0006545639.tif 000007
【図７】
0006545639.tif 000008